(57)【要約】【課題】低コストで高精度に変状の規模を計測できる変状規模計測システム及び変状規模計測プログラムを提供する。【解決手段】変状画像データ取得部１０が、デジタルカメラで撮影した変状箇所の画像データを取得し、撮像距離データ取得部１２が、変状画像データの範囲内にある点からカメラまでの距離）を取得する。また、地形特徴情報取得部１４は、上記変状画像データの対象領域における地形特徴情報を取得し、画角取得部１６は、使用者が入力したデジタルカメラの画角を取得する。次に、変状範囲受付部１８は、使用者が適宜な入力手段により指定した変状範囲を受け付ける。変状面積演算部２０は、上記変状箇所の範囲と上記カメラの画角と上記地形特徴情報とに基づいて上記変状箇所の面積を演算する。【選択図】図１
2020003402.tif 000002
【特許請求の範囲】
【請求項１】
変状箇所の画像データである変状画像データを取得する変状画像データ取得手段と、
前記変状画像データの範囲内にある点から撮像装置までの距離を取得する撮像距離データ取得手段と、
前記変状画像データの対象領域における地形特徴情報を取得する地形特徴情報取得手段と、
前記撮像装置の画角を取得する画角取得手段と、
前記変状画像データにおいて、変状面積を演算する変状箇所の範囲を受け付ける変状範囲受付手段と、
前記変状範囲受付手段が受け付けた変状箇所の範囲と、前記撮像装置の画角と、前記地形特徴情報取得手段が取得した前記地形特徴情報とに基づき、前記変状箇所の面積を演算する変状面積演算手段と、
を備えることを特徴とする変状規模計測システム。
【請求項２】
前記変状画像データは、堤防、護岸その他の河川管理施設における変状箇所の画像データである、請求項１に記載の変状規模計測システム。
【請求項３】
前記画角は、前記撮像装置の焦点距離とイメージセンサーサイズとに基づいて前記画角取得手段が演算する、請求項１または請求項２に記載の変状規模計測システム。
【請求項４】
前記撮像距離データ取得手段が取得する距離は、前記撮像装置の撮影レンズの中心の延長に設置されたレーザ測距装置により測定した距離である、請求項１から請求項３のいずれか一項に記載の変状規模計測システム。
【請求項５】
前記地形特徴情報は、堤防、護岸その他の河川管理施設の法面の傾斜情報である、請求項１から請求項４のいずれか一項に記載の変状規模計測システム。
【請求項６】
前記撮像距離データ取得手段が取得した距離と、前記画角と、前記変状画像データのピクセルサイズとに基づき、１ピクセル当たりの長さを演算するピクセル長さ演算手段と、
前記傾斜情報に基づき前記ピクセル長さ演算手段が演算した１ピクセル当たりの長さを補正するピクセル長さ補正手段と、
をさらに備え、前記変状面積演算手段は、前記ピクセル長さ補正手段が補正した前記ピクセル長さを使用して前記変状箇所の面積を演算する、請求項５に記載の変状規模計測システム。
【請求項７】
コンピュータを、
変状箇所の画像データである変状画像データを取得する変状画像データ取得手段、
前記変状画像データの範囲内にある点から撮像装置までの距離を取得する撮像距離データ取得手段、
前記変状画像データの対象領域における地形特徴情報を取得する地形特徴情報取得手段、
前記撮像装置の画角を取得する画角取得手段、
前記変状画像データにおいて、変状面積を演算する変状箇所の範囲を受け付ける変状範囲受付手段、
前記変状範囲受付手段が受け付けた変状箇所の範囲と、前記撮像装置の画角と、前記地形特徴情報取得手段が取得した前記地形特徴情報とに基づき、前記変状箇所の面積を演算する変状面積演算手段、
として機能させる、変状規模計測プログラム。
【発明の詳細な説明】
【技術分野】
【０００１】
本発明は、変状規模計測システム及び変状規模計測プログラムに関する。
【背景技術】
【０００２】
従来、河川点検等により堤防、護岸その他の河川管理施設で発見された、損傷等の変状の大きさを計測する場合には、作業員による現地測量、写真測量技術による図化、あるいはオルソ写真や３次元データを作成して、変状の大きさを計測していた。
【０００３】
しかし、作業員による現地測量は、測量できる場所に制限がある。また、写真測量技術による図化、あるいはオルソ写真や３次元データを作成して変状の大きさを計測する方法は、高精度な計測を行うことができるが、高性能な計測機器が必要となるためコストが増大し、また、計測したデータが膨大になるため処理時間を要し、迅速に変状範囲を計測することができなかった。
【０００４】
例えば、下記特許文献１には、３次元座標値が既知の地点から可視光を測量面に向かって複数照射し、照射した複数の可視光照射点の３次元座標値を既知の地点の３次元座標値から算出し、デジタルカメラにて撮影した撮影画像と、照射した複数の可視光照射点を利用して、正射投影画像を作成する方法が開示されている。
【０００５】
しかし、可視光照射点が複数照射できない測量面や地形の特徴が加味されていない照射点から正射投影画像を作成した場合、精度の良い正射投影画像を作成することができなかった。そのため、作成した正射投影画像から精度よく変状の大きさを計測することができないという問題があった。
【先行技術文献】
【特許文献】
【０００６】
【特許文献１】特開２００９−１８６４０２号公報
【発明の概要】
【発明が解決しようとする課題】
【０００７】
本発明は、低コストで高精度に変状の規模を計測できる変状規模計測システム及び変状規模計測プログラムを提供することを目的とする。
【課題を解決するための手段】
【０００８】
上記目的を達成するために、本発明の一実施形態は、変状規模計測システムであって、変状箇所の画像データである変状画像データを取得する変状画像データ取得手段と、前記変状画像データの範囲内にある点から撮像装置までの距離を取得する撮像距離データ取得手段と、前記変状画像データの対象領域における地形特徴情報を取得する地形特徴情報取得手段と、前記撮像装置の画角を取得する画角取得手段と、前記変状画像データにおいて、変状面積を演算する変状箇所の範囲を受け付ける変状範囲受付手段と、前記変状範囲受付手段が受け付けた変状箇所の範囲と、前記撮像装置の画角と、前記地形特徴情報取得手段が取得した前記地形特徴情報とに基づき、前記変状箇所の面積を演算する変状面積演算手段と、を備えることを特徴とする。
【０００９】
上記、変状画像データは、堤防、護岸その他の河川管理施設における変状箇所の画像データであるのが好適である。
【００１０】
また、上記画角は、前記撮像装置の焦点距離とイメージセンサーサイズとに基づいて前記画角取得手段が演算してもよい。
【００１１】
また、上記撮像距離データ取得手段が取得する距離は、前記撮像装置の撮影レンズの中心の延長に設置されたレーザ測距装置により測定した距離であるのが好適である。
【００１２】
また、上記地形特徴情報は、堤防、護岸その他の河川管理施設の法面の傾斜情報であるのが好適である。
【００１３】
また、上記撮像距離データ取得手段が取得した距離と、前記画角と、前記変状画像データのピクセルサイズとに基づき、１ピクセル当たりの長さを演算するピクセル長さ演算手段と、前記傾斜情報に基づき前記ピクセル長さ演算手段が演算した１ピクセル当たりの長さを補正するピクセル長さ補正手段と、をさらに備え、前記変状面積演算手段は、前記ピクセル長さ補正手段が補正した前記ピクセル長さを使用して前記変状箇所の面積を演算するのが好適である。
【００１４】
また、本発明の他の実施形態は、変状規模計測プログラムであって、コンピュータを、変状箇所の画像データである変状画像データを取得する変状画像データ取得手段、前記変状画像データの範囲内にある点から撮像装置までの距離を取得する撮像距離データ取得手段、前記変状画像データの対象領域における地形特徴情報を取得する地形特徴情報取得手段、前記撮像装置の画角を取得する画角取得手段、前記変状画像データにおいて、変状面積を演算する変状箇所の範囲を受け付ける変状範囲受付手段、前記変状範囲受付手段が受け付けた変状箇所の範囲と、前記撮像装置の画角と、前記地形特徴情報取得手段が取得した前記地形特徴情報とに基づき、前記変状箇所の面積を演算する変状面積演算手段、として機能させる、ことを特徴とする。
【発明の効果】
【００１５】
本発明によれば、低コストで高精度に変状の規模を計測できる変状規模計測システム及び変状規模計測プログラムを実現できる。
【図面の簡単な説明】
【００１６】
【図１】実施形態にかかる変状規模計測システムの例の機能ブロック図である。
【図２】実施形態にかかる変状面積演算部が、変状箇所の大きさ（変状規模）を演算する方法の説明図である。
【図３】実施形態にかかる変状面積演算部が、計測対象の面が撮影方向に対して傾いている場合に、変状箇所の大きさ（変状規模）を演算する方法の説明図である。
【図４】変状箇所の範囲の指定方法の説明図である。
【図５】実施形態にかかる地形特徴情報取得部が、完成図（出来形情報）から、計測対象Ｏの面Ｆの傾きを地形特徴情報として取得する方法の説明図である。
【図６】実施形態にかかる変状規模計測システムの動作例のフロー図である。
【発明を実施するための形態】
【００１７】
以下、本発明を実施するための形態（以下、実施形態という）を、図面に従って説明する。
【００１８】
図１には、実施形態にかかる変状規模計測システムの例の機能ブロック図が示される。図１において、変状規模計測システム１００は、変状画像データ取得部１０、撮像距離データ取得部１２、地形特徴情報取得部１４、画角取得部１６、変状範囲受付部１８、変状面積演算部２０、ピクセル長さ演算部２２、ピクセル長さ補正部２４、表示制御部２６、通信部２８、記憶部３０及びＣＰＵ３２を含んで構成されている。上記変状規模計測システム１００は、ＣＰＵ３２、ＲＯＭ、ＲＡＭ、不揮発性メモリ、Ｉ／Ｏ、通信インターフェース等を備え、装置全体の制御及び各種演算を行うコンピュータとして構成されており、上記各機能は、例えばＣＰＵ３２とＣＰＵ３２の処理動作を制御するプログラムとにより実現される。
【００１９】
変状画像データ取得部１０は、変状箇所の画像データである変状画像データを取得する。ここで、変状箇所とは、堤防、護岸その他の河川管理施設等に生じた亀裂、陥没、沈下等、山の斜面の崩落（崖崩れ）等の損傷箇所をいう。また、変状画像データは、デジタルカメラ等の撮像装置で撮影した変状箇所の画像データである。変状画像データ取得部１０は、上記画像データを、デジタルカメラから直接読み出す方法、適宜なサーバコンピュータから送信された画像データを通信部２８を介して受け取る方法、フラッシュメモリ、ディスク装置等の適宜な記憶装置から読み出す方法等により取得し、記憶部３０に記憶させる。
【００２０】
撮像距離データ取得部１２は、変状画像データの範囲内にある点から撮像装置までの距離を取得する。また、上記点から撮像装置までの距離は、例えばデジタルカメラ等の撮像装置に設置したレーザ測距装置により測定した距離であり、撮像距離データ取得部１２は、上記変状画像データと同時に取得して記憶部３０に記憶させる。
【００２１】
地形特徴情報取得部１４は、上記変状画像データの対象領域における地形特徴情報を取得して記憶部３０に記憶させる。ここで、地形特徴情報とは、変状画像データの対象領域における地形の特徴に関する情報であり、例えば堤防、護岸その他の河川管理施設の法面の傾斜情報（傾斜角度）、山の斜面の形状等が含まれる。堤防、護岸その他の河川管理施設の法面の傾斜角度は、当該施設の完成図（出来形情報）から得ることができ、山の斜面の形状等は当該地域の数値地形モデル（ＤＴＭ）から得た斜面の傾斜情報（傾斜角度）等である。得られた地形特徴情報は、グリッドデータ、ＴＩＮデータ等の位置情報付３次元データとして記憶部３０に記憶させる。
【００２２】
画角取得部１６は、デジタルカメラ等の撮像装置の画角を取得して記憶部３０に記憶させる。撮像装置の画角は、デジタルカメラ等の撮像装置から出力される情報を画角取得部１６が取得してもよいし、使用者が撮影時の画角をキーボード、マウス等のポインティングデバイス、タッチパネル等の適宜な入力手段により入力し、画角取得部１６に取得させる構成としてもよい。また、撮像装置の焦点距離とイメージセンサーサイズとから画角取得部１６が演算して取得する構成としてもよい。
【００２３】
変状範囲受付部１８は、上記変状画像データにおいて、変状面積を演算する対象である変状箇所の範囲（変状範囲）として使用者が指定した変状画像上の領域を受け付けて記憶部３０に記憶させる。この場合、変状範囲受付部１８が、変状画像データ取得部１０が取得した変状画像データを記憶部３０から読み出し、変状画像データが表す変状画像を、表示制御部２６を介して液晶表示装置その他の適宜な表示装置で表示させ、使用者は、キーボード、マウス等のポインティングデバイス、タッチパネル等の適宜な入力手段により上記表示装置の画面上で変状範囲を指定し、変状範囲受付部１８が指定された変状範囲を受け付ける構成とすることができる。
【００２４】
変状面積演算部２０は、上記変状範囲受付部１８が受け付けた変状箇所の範囲と、上記画角取得部１６が取得した撮像装置の画角と、上記地形特徴情報取得部１４が取得した地形特徴情報とを記憶部３０から読み出し、これらに基づいて上記変状箇所の面積を演算する。変状箇所の面積を演算する方法は後述する。演算した変状箇所の面積は記憶部３０に記憶させる。
【００２５】
ピクセル長さ演算部２２は、上記撮像距離データ取得部１２が取得した距離と、上記画角取得部１６が取得した画角と、上記変状画像データ取得部１０が取得した変状画像データのピクセルサイズ（画像の縦方向及び横方向における総ピクセル数）とに基づき、変状画像データの対象領域における１ピクセル当たりの実際の長さを演算し、記憶部３０に記憶させる。演算方法は後述する。
【００２６】
ピクセル長さ補正部２４は、上記ピクセル長さ演算部２２が演算した、上記対象領域における１ピクセル当たりの実際の長さを記憶部３０から読み出し、上記地形特徴情報としての傾斜情報に基づき１ピクセル当たりの長さを補正して、補正後の値を記憶部３０に記憶させる。
【００２７】
表示制御部２６は、変状範囲受付部１８が表示させる変状画像、変状面積演算部２０が演算した変状箇所の面積等を、液晶表示装置その他の適宜な表示装置を制御して表示する。
【００２８】
通信部２８は、適宜なインターフェースにより構成され、無線または有線の通信回線を介して、ＣＰＵ３２が外部のサーバ等と変状画像データ等のデータをやり取りするために使用する。
【００２９】
記憶部３０は、ハードディスク装置、ソリッドステートドライブ（ＳＳＤ）等の不揮発性メモリで構成され、上記各種情報等、及びＣＰＵ３２の動作プログラム等の、地表変状可視化装置が行う各処理に必要な情報を記憶させる。なお、記憶部３０としては、デジタル・バーサタイル・ディスク（ＤＶＤ）、コンパクトディスク（ＣＤ）、光磁気ディスク（ＭＯ）、フレキシブルディスク（ＦＤ）、磁気テープ、電気的消去および書き換え可能な読出し専用メモリ（ＥＥＰＲＯＭ）、フラッシュ・メモリ等を使用してもよい。また、記憶部３０には、主としてＣＰＵ３２の作業領域として機能するランダムアクセスメモリ（ＲＡＭ）、及びＢＩＯＳ等の制御プログラムその他のＣＰＵ３２が使用するデータが格納される読み出し専用メモリ（ＲＯＭ）を含めるのが好適である。
【００３０】
図２（ａ）、（ｂ）、（ｃ）には、実施形態にかかる変状面積演算部２０が、変状箇所の大きさ（変状規模）を演算する方法の説明図が示される。図２（ａ）において、変状規模の計測対象（堤防、護岸その他の河川管理施設等）Ｏに対して、距離Ｈ０の地点から撮像装置であるデジタルカメラＤにより変状箇所を撮影している。デジタルカメラＤで撮影した変状箇所の画像データを上記変状画像データ取得部１０が取得する。ここで、距離Ｈ０は、デジタルカメラＤのカメラ中心Ｃから計測対象Ｏまでの光軸上の距離である。また、デジタルカメラＤに設置されたレーザ測距装置Ｍｌでは、レーザ照射口から計測対象Ｏまでの距離Ｈを測定する。この距離Ｈは、撮像距離データ取得部１２が取得する。なお、Ｈ０＝Ｈとなるようにレーザ測距装置Ｍｌが設置されている。また、デジタルカメラＤのカメラ中心Ｃから変状箇所内の点Ｂまでの距離がＬｘｙで示される。また、デジタルカメラＤの縦方向（上下方向）の画角がα、横方向の画角がβで示されており、これらは画角取得部１６が取得した値である。
【００３１】
上述したように、デジタルカメラＤには、計測対象Ｏまでの距離を測定するためのレーザ測距装置Ｍｌが設置されている。図２（ｂ）には、デジタルカメラＤとこれに設置されたレーザ測距装置Ｍｌとの関係が示される。図２（ｂ）において、デジタルカメラＤのカメラ中心Ｃ（撮影レンズの中心）から左斜め上に延長した距離ｌｃの位置にレーザ測距装置Ｍｌが設置されている。なお、カメラ中心Ｃとレーザ測距装置Ｍｌとの縦方向距離がｌｃｙで示され、横方向距離がｌｃｘで示されている。また、レーザ測距装置Ｍｌで測定した計測対象Ｏまでの距離Ｈは、上記光軸と平行な線上での距離である。
【００３２】
図２（ｃ）には、デジタルカメラＤの背後から見た各点の位置関係が示される。なお、図２（ｃ）の例は、各点を計測対象Ｏの平面上に投影した場合の位置が示されており、計測対象Ｏの面が鉛直方向と平行であることを前提としている。図２（ｃ）では、座標軸としてデジタルカメラＤの縦方向にＰｙ軸、横方向にＰｘが設定されており、それぞれデジタルカメラＤの画像のピクセル数で長さを表している。従って、上記計測対象Ｏの平面は、デジタルカメラＤで撮影した画像上の平面である。
【００３３】
図２（ｃ）において、デジタルカメラＤのカメラ中心の座標が原点（０，０）、変状箇所内の点Ｂの座標が（ｘ，ｙ）で表されている。ここで、縦方向における１ピクセル当たりの画角をｄα、横方向における１ピクセル当たりの画角をｄβとすると、
【００３４】
【数１】
2020003402.tif 000003
【００３５】
ただし、Ｙ、Ｘは、それぞれ縦方向、横方向における、デジタルカメラＤで撮影した画像の総ピクセル数であり、ピクセル長さ演算部２２が使用するピクセルサイズに相当する。
【００３６】
仮に、点Ｂの座標（ｘ，ｙ）においてｙ＝０とすると、変状箇所の画像における１ピクセル当たりの、計測対象Ｏでの縦方向の実際の長さＬｘｙ×ｄαは、
【００３７】
【数２】
2020003402.tif 000004
となる。
【００３８】
また、上記１ピクセル当たりの、計測対象Ｏでの横方向の実際の長さＬｘｙ×ｄβは、
【００３９】
【数３】
2020003402.tif 000005
となる。
【００４０】
ここで、ｙ≠０であれば、上記Ｌｘｙ×ｄα、Ｌｘｙ×ｄβは、それぞれ、
【００４１】
【数４】
2020003402.tif 000006
となる。
【００４２】
以上に述べた縦方向、横方向における、１ピクセル当たりの計測対象Ｏでの実際の長さは、ピクセル長さ演算部２２が演算する。
【００４３】
なお、上記ｙ≠０の場合には、Ｌｘｙと原点を通り、計測対象Ｏの面に直交する直線（図２（ａ）においてＨ０で示される距離を表す直線）とのなす角度を（ｄα×ｙ）で近似している。
【００４４】
変状面積演算部２０は、変状範囲受付部１８が受け付けた変状箇所の範囲を記憶部３０から読み出し、変状箇所の範囲内の画素数を積算して、上記縦方向、横方向における１ピクセル当たりの実際の長さＬｘｙ×ｄα、Ｌｘｙ×ｄβから求められる１ピクセル当たりの計測対象Ｏでの実際の面積を使用して、指定された変状箇所の面積を演算する。なお、変状箇所の範囲の指定方法の具体例は後述する。
【００４５】
図３には、変状面積演算部２０が、計測対象の面が撮影方向に対して傾き、水平面に対して傾斜角度がついている場合に、変状箇所の大きさ（変状規模）を演算する方法の説明図が示される。図３において、計測対象Ｏの面Ｆの傾きは、予め完成図（出来形情報）から地形特徴情報取得部１４が取得した傾斜情報であって、変状面積演算部２０が記憶部３０から読み出して使用する。
【００４６】
図３の例では、計測対象Ｏの、デジタルカメラＤで撮影される面Ｆとの距離は、デジタルカメラＤのカメラ中心から計測対象Ｏまでの距離がＨで示され、デジタルカメラＤのカメラ中心から計測対象Ｏの面Ｆにおける変状箇所内の点Ｂまでの距離がＬｘｙで示されている。また、ＬｘｙとＨとの差分がΔＨで示されている。なお、上記距離Ｈは、上記レーザ測距装置Ｍｌで測定した距離である。
【００４７】
ピクセル長さ補正部２４は、上記ピクセル長さ演算部２２が演算した、計測対象Ｏの面が鉛直方向と平行である場合の縦方向、横方向における、１ピクセル当たりの計測対象Ｏでの実際の長さＬｘｙ×ｄα、Ｌｘｙ×ｄβを、上記ΔＨを使用して、以下のように補正する。
【００４８】
【数５】
2020003402.tif 000007
【００４９】
なお、（Ｌｘｙ×ｄα）ｃ及び（Ｌｘｙ×ｄβ）ｃは、上記点Ｂにおける１ピクセル当たりの実際の長さであり、補正後の値である。
【００５０】
変状面積演算部２０は、上述したように、変状箇所の範囲内の画素数と（Ｌｘｙ×ｄα）ｃ及び（Ｌｘｙ×ｄβ）ｃとを使用して、指定された変状箇所の面積を演算する。
【００５１】
図４には、変状箇所の範囲の指定方法の説明図が示される。図４において、変状箇所Ａｈが液晶表示装置その他の適宜な表示装置に表示されており、使用者は、キーボード、マウス等のポインティングデバイス、タッチパネル等の適宜な入力手段によりの変状箇所Ａｈの範囲（例えば、変状箇所と正常箇所との境界線）を画面上でなぞり、変状画像上の領域を指定する。なお、変状箇所の画像の特徴量から画像認識処理が実行され、他の領域（正常箇所）と切り分けるソフトウエアを使用して変状画像上の領域を指定する構成としてもよい。または、変状箇所の画像の特徴量から特徴量毎にグループ分けをし、グループ毎に分けられた領域を変状箇所としてもよい。変状範囲受付部１８は、上記のようにして指定された変状画像上の領域を受け付けて記憶部３０に記憶させる。
【００５２】
図５には、地形特徴情報取得部１４が、完成図（出来形情報）から、計測対象Ｏの面Ｆの傾きを地形特徴情報として取得する方法の説明図が示される。図５において、各面Ｆの勾配は１：ｎで表されている。使用者は、上記ｎをキーボード等の入力手段から入力し、地形特徴情報取得部１４が以下の式に基づいて勾配θを演算して取得する。
【００５３】
【数６】
2020003402.tif 000008
【００５４】
なお、θの値を直接入力する構成としてもよい。
【００５５】
以上の場合、いずれの面Ｆの勾配であるかを指定する必要があるが、面Ｆを撮影する都度、当該画像の属性として入力してもよいし、変状面積演算部２０が変状箇所の面積を演算する際にパラメータとして入力してもよい。入力された勾配（傾斜角度）は、地形特徴情報取得部１４が受け付けて記憶部３０に記憶させる。
【００５６】
図６には、実施形態にかかる変状規模計測システム１００の動作例のフロー図が示される。図６において、変状画像データ取得部１０が、デジタルカメラ等の撮像装置で撮影した変状箇所の画像データを取得し（Ｓ１）、撮像距離データ取得部１２が、変状画像データの範囲内にある点から撮像装置までの距離（撮像距離Ｈ）を取得する（Ｓ２）。
【００５７】
また、地形特徴情報取得部１４は、上記変状画像データの対象領域における地形特徴情報を取得する（Ｓ３）。上述したとおり、地形特徴情報は、堤防、護岸その他の河川管理施設の法面の傾斜情報（傾斜角度）や山の斜面の形状等の情報である。
【００５８】
また、画角取得部１６は、使用者が入力したデジタルカメラ等の撮像装置の画角を取得する（Ｓ４）。
【００５９】
次に、変状範囲受付部１８は、変状画像データが表す変状画像を、表示制御部２６を介して液晶表示装置その他の適宜な表示装置に表示させ、当該画面上で使用者が適宜な入力手段により指定した変状範囲を受け付ける（Ｓ５）。
【００６０】
変状面積演算部２０は、上記変状範囲受付部１８が受け付けた変状箇所の範囲と、上記画角取得部１６が取得した撮像装置の画角と、上記地形特徴情報取得部１４が取得した地形特徴情報とに基づいて上記変状箇所の面積を演算する（Ｓ６）。
【００６１】
上述した図６の各ステップを実行するためのプログラムは、記録媒体に格納することも可能であり、また、そのプログラムを通信手段によって提供しても良い。その場合、例えば、上記説明したプログラムについて、「プログラムを記録したコンピュータ読み取り可能な記録媒体」の発明または「データ信号」の発明として捉えても良い。
【符号の説明】
【００６２】
１０  変状画像データ取得部、１２  撮像距離データ取得部、１４  地形特徴情報取得部、１６  画角取得部、１８  変状範囲受付部、２０  変状面積演算部、２２  ピクセル長さ演算部、２４  ピクセル長さ補正部、２６  表示制御部、２８  通信部、３０  記憶部、３２  ＣＰＵ、１００  変状規模計測システム。
【図１】
2020003402.tif 000009
【図２】
2020003402.tif 000010
【図３】
2020003402.tif 000011
【図４】
2020003402.tif 000012
【図５】
2020003402.tif 000013
【図６】
2020003402.tif 000014